【手続補正書】
【提出日】平成16年6月28日(2004.6.28)
【手続補正１】
【補正対象書類名】明細書
【補正対象項目名】特許請求の範囲
【補正方法】変更
【補正の内容】
【特許請求の範囲】
【請求項１】
信号トラックを単位ブロックに区分する補助信号が信号トラックとは異なる別の領域にプリフォーマットされた光ディスクの信号トラック上の不連続記録位置と隣接した単位ブロックの一部分にクロック安定化情報を記録する段階と、
前記単位ブロックの残りの部分にユーザー情報を記録する段階とを含むことを特徴とする光ディスク記録方法。
【請求項２】
前記不連続記録位置と隣接した単位ブロックの次に配列された後続単位ブロックにユーザー情報を順次に記録する段階を更に含むことを特徴とする請求項１記載の光ディスク記録方法。
【請求項３】
信号トラックを単位ブロックに区分する補助同期信号と情報の伝送速度を指示する補助クロックを含む補助信号とが信号トラックとは異なる別の領域にプリフォーマットされた光ディスクから前記補助同期信号と補助クロックを検出する第１段階と、
前記補助同期信号と前記補助クロックを利用して信号トラック上の不連続記録位置と隣接した単位ブロックの一部分にクロック安定化情報を記録する第２段階と、
前記補助同期信号と前記補助クロックを利用して前記不連続記録位置と隣接した単位ブロックの残りの部分にユーザー情報を記録する第３段階とを含むことを特徴とする光ディスク記録方法。
【請求項４】
信号トラックを単位ブロックに区分する補助同期信号と情報の伝送速度を指示する補助クロックとを含む補助信号が信号トラックとは異なる別の領域にプリフォーマットされた光ディスクから前記補助同期信号と補助クロックを検出する第１段階と、
検出された補助クロックに基づいて基準クロックを発生する第２段階と、
前記検出された補助同期信号と前記基準クロックを利用して前記信号トラック上の不連続記録位置と隣接した単位ブロックの一部分にクロック安定化情報を記録する第３段階と、
前記クロック安定化情報と前記基準クロックを利用して前記不連続記録位置と隣接した単位ブロックの残りの部分にユーザー情報を記録する第４段階とを含むことを特徴とする光ディスク記録方法。
【請求項５】
信号トラックを単位ブロックに区分する補助同期信号と情報の伝送速度を指示する補助クロックとを含む補助信号が信号トラックとは異なる別の領域にプリフォーマットされた光ディスクから前記補助クロックを検出する第１段階と、
検出された補助クロックに基づいて基準クロックを発生する第２段階と、
前記信号トラックに記録された同期信号を再生する第３段階と、
再生された同期信号と基準クロックを利用して前記信号トラック上の不連続記録位置と隣接した単位ブロックの一部分にクロック安定化情報を記録する第４段階と、
前記クロック安定化情報と基準クロックを利用して不連続記録位置と隣接した単位ブロックの残りの部分にユーザー情報を記録する第５段階とを含むことを特徴する光ディスク記録方法。
【請求項６】  信号トラックを単位ブロックに区分する補助同期信号と情報の伝送速度を指示する補助クロックとを含む補助信号が信号トラックとは異なる別の領域にプリフォーマットされた光ディスクから前記補助同期信号と補助クロックを検出する第１段階と、
検出された補助クロックに基づいて基準クロックを発生する第２段階と、
前記信号トラックに記録された同期信号を再生する第３段階と、
再生された同期信号、前記補助同期信号及び基準クロックを利用して前記信号トラック上の不連続記録位置と隣接した単位ブロックの一部分にクロック安定化情報を記録する第４段階と、
前記クロック安定化情報と前記基準クロックを利用して前記不連続記録位置と隣接した単位ブロックの残りの部分にユーザー情報を記録する第５段階とを含むことを特徴とする光ディスク記録方法。
【請求項７】
信号トラックを単位ブロックに区分する補助同期信号と情報の伝送速度を指示する補助クロックとを含む補助信号が信号トラックとは異なる別の領域にプリフォーマットされた光ディスクから前記補助同期信号と補助クロックを検出する第１段階と、
検出された補助クロックに基づいて基準クロックを発生する第２段階と、
前記信号トラックに記録された同期信号を再生する第３段階と、
再生された同期信号、前記補助同期信号及び前記基準クロックを利用して前記信号トラック上の不連続記録位置と隣接した単位ブロックの一部分にクロック安定化情報を記録する第４段階と、
前記クロック安定化情報により擬似同期信号を発生する第５段階と、
前記擬似同期信号と前記基準クロックを利用して前記不連続記録位置と隣接した単位ブロックの残りの部分にユーザー情報を記録する第６段階とを含むことを特徴とする光ディスク記録方法。
【請求項８】
信号トラックを単位ブロックに区分する補助同期信号と情報の伝送速度を指示する補助クロックとを含む補助信号が信号トラックとは異なる別の領域にプリフォーマットされた光ディスクから前記補助同期信号と補助クロックを検出する第１段階と、
検出された補助クロックに基づいて基準クロックを発生する第２段階と、
検出された補助同期信号に基づいて基準同期信号を発生する第３段階と、
前記信号トラックに記録された同期信号を再生する第４段階と、
再生された同期信号、前記補助同期信号及び前記基準クロックを利用して前記信号トラック上の不連続記録位置と隣接した単位ブロックの一部分にクロック安定化情報を記録する第５段階と、
前記クロック安定化情報により擬似同期信号を発生する第６段階と、
前記擬似同期信号と前記基準クロックを利用して前記不連続記録位置と隣接した単位ブロックの残りの部分にユーザー情報を記録する第７段階と、
前記基準同期信号及び基準クロックを利用して不連続記録位置と隣接した単位ブロックに連結される少なくとも一つの後続単位ブロックにユーザー情報を記録する第８段階とを含むことを特徴とする光ディスク記録方法。
【請求項９】
信号トラックを単位ブロックに区分する補助信号が信号トラックとは別の領域にプリフォーマットされた光ディスクの信号トラック上の不連続記録位置と隣接した単位ブロックの一部分にクロック安定化情報を記録する第１記録手段と、
前記単位ブロックの残りの部分にユーザー情報と記録する第２記録手段とを備えることを特徴する光ディスク記録装置。
【請求項１０】
信号トラックを単位ブロックに区分する補助同期信号と情報の伝送速度を指示する補助クロックとを含む補助信号が前記信号トラックとは異なる別の領域にプリフォーマットされた光ディスクから前記補助同期信号と前記補助クロックを検出する補助信号検出手段と、
前記補助信号検出手段からの前記補助同期信号及び前記補助クロックを利用して前記信号トラック上の不連続記録位置と隣接した単位ブロックの一部分にクロック安定化情報を記録する第１記録手段と、
前記補助信号検出手段からの前記補助同期信号及び前記補助クロックを利用して前記不連続記録位置と隣接した単位ブロックの残りの部分にユーザー情報を記録する第２記録手段とを備えることを特徴する光ディスク記録装置。
【請求項１１】
信号トラックを単位ブロックに区分する補助同期信号と情報の伝送速度を指示する補助クロックとを含む補助信号が信号トラックとは異なる別の領域にプリフォーマットされた光ディスクから前記補助同期信号と補助クロックを検出する補助信号検出手段と、
前記補助信号検出手段からの前記補助クロックに基づいて基準クロックを発生する基準クロック発生手段と、
前記補助信号検出手段からの前記補助同期信号と前記基準クロック発生手段からの前記基準クロックを利用して前記信号トラック上の不連続記録位置と隣接した単位ブロックの一部分にクロック安定化情報を記録する第１記録手段と、
前記第１記録手段からの前記クロック安定化情報と前記基準クロック発生手段からの基準クロックを利用して前記不連続記録位置と隣接した単位ブロックの残りの部分にユーザー情報を記録する第２記録手段とを備えることを特徴とする光ディスク記録装置。
【請求項１２】
信号トラックを単位ブロックに区分する補助同期信号と情報の伝送速度を指示する補助クロックとを含む補助信号が信号トラックとは異なる別の領域にプリフォーマットされた光ディスクから前記補助クロックを検出する補助信号検出手段と、
前記補助信号検出手段からの前記補助クロックに基づいて基準クロックを発生する基準クロック発生手段と、
前記信号トラックに記録された同期信号を再生する再生手段と、
前記再生手段からの再生された同期信号と前記基準クロック発生手段からの前記基準クロックを利用して前記信号トラック上の不連続記録位置と隣接した単位ブロックの一部分にクロック安定化情報を記録する第１記録手段と、
前記第１記録手段からのクロック安定化情報と前記基準クロック発生手段からの前記基準クロックを利用して前記不連続記録位置と隣接した単位ブロックの残りの部分にユーザー情報を記録する第２記録手段とを備えることを特徴とする光ディスク記録装置。
【請求項１３】
信号トラックを単位ブロックに区分する補助同期信号と情報の伝送速度を指示する補助クロックとを含む補助信号が信号トラックとは異なる別の領域にプリフォーマットされた光ディスクから前記補助同期信号と補助クロックを検出する補助信号検出手段と、
前記補助信号検出手段からの前記補助クロックに基づいて基準クロックを発生する基準クロック発生手段と、
前記信号トラックに記録された同期信号を再生する再生手段と、
前記再生手段からの再生された同期信号、前記補助信号検出手段からの前記補助信号及び前記基準クロック発生手段からの前記基準クロックを利用して前記信号トラック上の不連続記録位置と隣接した単位ブロックの一部分にクロック安定化情報を記録する第１記録手段と、
前記第１記録手段からのクロック安定化情報と前記基準クロック発生手段からの前記基準クロックを利用して前記不連続記録位置と隣接した単位ブロックの残りの部分にユーザー情報を記録する第２記録手段とを備えることを特徴とする光ディスク記録装置。
【請求項１４】
信号トラックを単位ブロックに区分する補助同期信号と情報の伝送速度を指示する補助クロックとを含む補助信号が信号トラックとは異なる別の領域にプリフォーマットされた光ディスクから前記補助同期信号と補助クロックを検出する補助信号検出手段と、
前記補助信号検出手段からの前記補助クロックに基づいて基準クロックを発生する基準クロック発生手段と、
前記信号トラックに記録された同期信号を再生する再生手段と、
前記補助信号検出手段からの補助同期信号、前記再生手段からの再生された同期信号及び前記基準クロック発生手段からの前記基準クロックを利用して前記信号トラック上の不連続記録位置と隣接した単位ブロックの一部分にクロック安定化情報を記録する第１記録手段と、
前記第１記録手段からの前記クロック安定化情報により擬似同期信号を発生する擬似同期発生手段と、
前記擬似同期発生手段からの前記擬似同期信号と前記基準クロック発生手段からの前記基準クロックを利用して前記不連続記録位置と隣接した単位ブロックの残りの部分にユーザー情報を記録する第２記録手段とを備えることを特徴とする光ディスク記録装置。
【請求項１５】
信号トラックを単位ブロックに区分する補助同期信号と情報の伝送速度を指示する補助クロックとを含む補助信号が信号トラックとは異なる別の領域にプリフォーマットされた光ディスクから前記補助同期信号と補助クロックを検出する補助信号検出手段と、
前記補助信号検出手段からの前記補助クロックに基づいて基準クロックを発生する基準クロック発生手段と、
前記補助信号検出手段からの前記補助クロックに基づいて基準同期信号を発生する基準同期発生手段と、
前記信号トラックに記録された同期信号を再生する再生手段と、
前記補助信号検出手段からの補助同期信号、前記再生手段からの再生された同期信号及び前記基準クロック発生手段からの前記基準クロックを利用して前記信号トラック上の不連続記録位置と隣接した単位ブロックの一部分にクロック安定化情報を記録する第１記録手段と、
前記第１記録手段からの前記クロック安定化情報により擬似同期信号を発生する擬似同期発生手段と、
前記擬似同期発生手段からの前記擬似同期信号と前記基準クロック発生手段からの前記基準クロックを利用して前記不連続記録位置と隣接した単位ブロックの残りの部分にユーザー情報を記録する第２記録手段と、
前記基準同期発生手段からの基準同期信号及び前記基準クロック発生手段からの前記基準クロックを利用して前記不連続記録位置と隣接した単位ブロックに連結される少なくとも一つの後続単位ブロックにユーザー情報を記録する第３記録手段とを備えることを特徴とする光ディスク記録装置。
【請求項１６】
請求項１ないし請求項８に記載のいずれか１項の記録方法によってクロック安定化情報とユーザ情報が記録されたディスク。